(57)【要約】【課題】褥瘡防止効果を示す敷き寝具を提供する。【解決手段】発泡樹脂製の寝具マットにおいて、人体の褥瘡既発生部分または発生予想部分に当接する位置の近傍に、少なくとも１つのスリットまたは小径もしくは小幅開口溝をマットの表面から厚み方向に設けて、該位置及びその近傍における上方向からの荷重のためにマット内に生じる張力を「切る」ことにより、その近くでの変形が同一マットの他部分の変形よりも相対的に容易に生じるようにし、かくして当該スリットまたは溝設置部分の上に当接する人体部分を局所的に柔和に受容できるようにしたことを特徴とする、褥瘡防止効果のある発泡樹脂製寝具マット。【選択図】  図１
2004215798.tif 000002
【特許請求の範囲】
【請求項１】
発泡樹脂製の寝具マットにおいて、人体の褥瘡既発生部分または発生予想部分に当接する位置の近傍に、少なくとも１つのスリット、または小幅もしくは小径開口溝をマットの表面から厚み方向に設けて、該位置及びその近傍における上方向からの荷重に対するマットの変形が同一マットの他部分の変形よりも相対的に容易に生じるようにし、かくして当該スリットまたは溝設置部分の上に当接する人体部分を柔和に受容できるようにしたことを特徴とする、褥瘡防止効果のある発泡樹脂製寝具マット。
【請求項２】
マット平面において、適度な大きさの十字形、＊形、Ｃ字形、Ｅ字形、Ｈ字形、Ｉ字形、Ｘ字形、Ｔ字形、Ｕ字形、Ｖ字型、Ｙ字形もしくは波形であるスリット；円形、半円形、楕円形、半楕円形、ハート形、三角形、四角形、その他の多角形もしくはこれらの幾何形状の組合わせた形の小幅もしくは小径の開口溝；あるいはこれらのスリット及び／または溝の２以上の組合わせ；を設けた請求項１の発泡樹脂製寝具マット。
【請求項３】
溝が底を有し、その底縁部が直角ではなく丸みを帯びている請求項２の発泡樹脂製寝具マット。
【請求項４】
褥瘡発生部分として、臀部の仙骨及び尾骨を想定し、該スリット及び／または溝を設けた請求項１〜３のいずれかの発泡樹脂製寝具マット。
【請求項５】
仰臥人体の背部の胸椎５〜８番に相当する部分附近及び／または挫骨に相当する部分附近、においてもさらにスリット及び／または溝を設けた請求項１〜４のいずれかの発泡樹脂製寝具マット。
【請求項６】
該スリットの下端部がマットの裏面にまで達しないで終わっている請求項１〜５のいずれかの発泡樹脂製寝具マット。
【請求項７】
人体が仰臥したときにマット下端部側から踵部が外れて突き出るような全長を有する請求項１〜６のいずれかの発泡樹脂製寝具マット。
【請求項８】
請求項１〜７のいずれかの発泡樹脂製寝具マットを樹脂原料を発泡させて製造する方法であって、発泡成形に際して発泡型と共に所望のスリット及び／または溝に対応する寸法の中子を所要位置に所要数配置使用し、発泡工程終了後に発泡製品から中子を除去する工程を含む上記方法。
【請求項９】
請求項１〜７のいずれかの発泡樹脂製寝具マットを発泡樹脂ブロックから製造する方法であって、所要寸法の発泡成形マット部材を準備し、その所要位置に刃物工具を用いて所要のスリットの切り込み及び／または溝の切出しを行う工程を含む上記方法。
【請求項１０】
マットの使用中にスリットの先端縁部に沿って起こり得る亀裂伝播の防止のためにスリットの先端縁部において接着剤接合処理または融着接合処理を行う工程をさらに含む請求項８の方法。
【請求項１１】
矩形本体（Ｉ）とその本体の頭部側縁に沿って並置される枕置き部（ＩＩ）とから構成される発泡樹脂製寝具マットにおいて、
枕置き部（ＩＩ）の上に頭部か位置しかつ矩形本体（Ｉ）の縦中心線上に仰臥姿勢で横たわった場合の人体の頚椎部分に相当するマット本体の頭側縁部分に本体と比較して柔らかいウレタン硬度表示８〜１２のブロック（６）を置換植込み、接合し、
また該ブロック（６）の左右に位置し該仰臥姿勢の人体の肩上から二の腕部が当接する左右のマット頭側縁部分に本体と比較して柔らかいウレタン硬度表示３〜６のブロック（７、７）を置換植込み、接合してなり、
かくして仰臥姿勢のときの人体の肩上から二の腕部は上記硬度格差に拘わらず本体の平面とほぼ同じ平面上に保たれるが、左向きまたは右向きの横臥姿勢のときの人体の肩上から二の腕部はブロック（６）及びブロック（７）間の硬度格差によって本体の平面より沈み込んだ位置となりそれにより当該部分の体圧を低減でき、かつ楽な横臥姿勢をとり得るようにしたことを特徴とする発泡樹脂製寝具マット。
【請求項１２】
請求項１１の頚椎部分に相当する頭側縁部分のブロック（６）並びに両肩当接部ブロック（７、７）以外の褥瘡発生部分に当接する位置近傍のマット本体部分に、少なくとも１つのスリットまたは小幅もしくは小径溝をマットの表面から厚み方向に設けて、該位置及びその近傍における上方向からの荷重に対するマットの変形が同一マットの他部分の変形よりも相対的に容易に生じるようにし、かくして当該スリットまたは溝設置部分の上に当接する人体部分を柔和に受容できるようにしたことを特徴とする、発泡樹脂製寝具マット。
【請求項１３】
褥瘡発生部分として、臀部の仙骨及び尾骨を想定し、該スリット及び／または溝を設けた請求項１２の発泡樹脂製寝具マット。
【請求項１４】
仰臥人体の背部の胸椎５〜８番に相当する部分附近及び／または挫骨に相当する部分附近、においてもさらにスリット及び／または溝を設けた請求項１２または１３のいずれかの発泡樹脂製寝具マット。
【請求項１５】
人体が仰臥したときにマット本体の下端部側から踵部が外れて突き出るような全長を有する請求項１１〜１４のいずれかの発泡樹脂製寝具マット。
【請求項１６】
マット本体を縦方向において、防褥瘡加工部分と防褥瘡加工がなされていない部分との断片に分割し、該非加工部分断片毎に長さが段階的に異なるものを２以上準備し、各使用者の身長に合わせて適当な長さの非加工部分の断片を選択して防褥瘡加工部分の断片と組合わせて使用者に適合した全長に調節して使用に供される請求項１１〜１５のいずれかの発泡樹脂製寝具マット。
【発明の詳細な説明】
【０００１】
【発明の属する技術分野】
本発明は寝具マットに関し、さらに詳しくは褥瘡防止効果のある発泡樹脂寝具マットに関する。褥瘡とは、人体の骨突出部での外部からの長期間にわたる圧迫による皮膚と皮下組織の阻血性壊死と定義することができる。
【０００２】
【従来の技術】
病院、介護施設、家庭等におけるいわゆる寝たきり状態での長期治療に伴って褥瘡（あるいは床擦れ）が発生しがちであるが、褥瘡が発生すると、それにより本来の治療が妨げられたり、患者に余分な苦痛が与えられるので、褥瘡の発生を防止することが大いに望まれてきている。従って、褥瘡を防止することを目的とした寝具、補助具等が多数提案されてきている。
【０００３】
健常者の睡眠時の寝姿は、主として「人が直立している状態の姿勢」が上向きに横に倒されたものが理想的であるとされている。健常者は睡眠中にそのような寝姿を中心としながらも、時々意識的あるいは無意識的に左右に寝返りを打って寝姿を変えて、同一姿勢を取り続けることによる身体の部分的な疲れを生じないようにでき、従って褥瘡が生じるほどの長時間の部分圧迫が継続しない。もしも敷き寝具が軟らか過ぎると胸部、臀部が沈み込み過ぎ、就眠中に筋肉痛、腰痛を生じさせる原因となり易い。また敷き寝具が硬すぎれば、身体に対する部分的圧迫が大きく、寝返りが頻繁となり、浅い眠りしか得られず、安眠ができない。従って、一般的には、健常者用には、ある程度硬めの敷き寝具が良いとされ、たとえ同一の寝姿を長時間続けて圧迫痛が生じ始めても、寝返り等の体位変換によって、すぐに防止ないしは快復することができる。これらを総合的に考慮すると、健常者のためには、表面が軟らかく、しかも沈み込みの少ない敷き寝具が良いとされる。
【０００４】
これに対して、体の弱っている人、長期病床にある人等は、筋力の衰弱等により寝返りを打つことができず同一の寝姿を長時間取り続けることとなり、たとえ寝返りが打てたとしてもその回数は僅少であり、介護者の助力無しでは寝返りのみならず離床等の体位変換がままならないことが多い。従って、このような人のための敷き寝具としては、局所的な体圧集中による褥瘡の発生を起こさないように、体圧分散のために「軟らかい」ものを用いることが良いとされ、例えばエアーマットレス、ウオーターマットレス、軟らかいウレタンマットレス、低反発ウレタンマットレス等が寝姿に関係なく褥瘡ができにくいとの理由で提案されてきている。
【０００５】
例えば従来提案の褥瘡防止用の代表的な「軟らかい」敷き寝具であるエアーマットレスは、体圧分散には効果的であるものの、その構造または機能的原因によって振動あるいは変形し易くて体位変換させるのが困難であり、僅かな部分動で床面が絶えず変動してノイズが発生し易く、安眠を得難い。さらには、いかに柔らかいといっても褥瘡予防の面からは、同一体位をとり続けるのは好ましくなく、時には体位変換するのが望ましい。また他の目的、例えば治療目的のために介護者の助力によって患者の体位を容易に変換できること、あるいは離床させるのが容易であることは、重要な要件であるが、この点エアーマットレスは、部分変形し易くそれらの作業が容易でないことが多く、好ましくない。従って、体位変換等のためには「軟らかさ」よりもむしろ「（適度な）硬さ」が必要とされることになる。ウオーターマットレス、軟らかいウレタンマットレス、低反発ウレタンマットレス等についても同様な難点が認められる。
【０００６】
敷き寝具は、理想の睡眠姿勢を得るためにはある程度硬くなければならず、しかしそのような硬さは褥瘡防止のために好ましくないという矛盾を含んでいる。そのため、褥瘡予防敷き寝具として、ゲル状マットや、表面に低反発ウレタン層を接合した重ね合せマット等が提案されているが、体圧分散を主目的として軟らかめに設定されているため、身体全体の寝姿勢を快適に保つ面からは不十分であり、また高価格でもある。例えば、普通の敷き寝具の上に、ゲルを内臓した袋や低反発ウレタン偏平片を臀部等の褥瘡のでき易い所に配置して使用する場合があるが、その配置個所で身体が持ち上げられ不自然な体形となり、当該部分でかえって余計な体圧が生じ得るし、また長時間の使用で筋肉痛、腰痛等を引き起こすこともあり得る。
【０００７】
また衰弱している人、長期病床にある人等が横臥姿勢のままであったり、治療の必要上横臥姿勢のままであると、肩先部分に大きな負荷が掛かり、その部分で褥瘡が発生することがある。従って、長期にわたって主として横臥姿勢をとり続ける場合や、横臥姿勢を取り続けなければならないような状態の場合に、その様な褥瘡が発生を防止すると共に、その他の身体部分の筋肉痛や腰痛、その他の疲れをもたらし難く、かつ必要に応じて寝返りが容易にできる寝具マットも要求されている。
【０００８】
特開２００１−２５８９６０号公報には、敷き布団用のスポンジマット１の仙骨に対応する部分でマットの厚さ方向に貫通する円筒状空洞２をカット形成し、またマットの脚方部において踵を空中に保持するように段差カット３を形成してなる褥瘡予防用マットが開示されている。その円筒状空洞部の径は大きいから、それに応じて変形が周囲にまで広張して大きくなり、従って臀部の沈み込みが大きく、筋肉痛や腰痛を引き起こし、快適性を損なう可能性があり、さらには臀部が底付きして、その底付き部分に褥瘡を発生するおそれさえある。
【０００９】
特開２００２−１１０５２号公報には、Ｗ１ｘＷ２の大きさの四角形のマット１の中央部に直径ｄの円形穴２を設けた床擦れ防止具が記載され、その防止具の穴２は、尾てい骨が中心に、そして仙骨が円周部に当接するような寸法（例えば１０ｃｍ程度）であり、そのような体位配置で使用される。従ってこの床擦れ防止具の穴２の仙骨が当接する円周部に向かい合った円周部には臀部か懸かり、穴内へ沈み込むこととなる。この床擦れ防止具では、使用時に臀部が沈み込み過ぎて不自然な姿勢となる。即ち、ハンモックに寝たときと同じになり、長時間の使用により、腰痛、筋肉痛の原因となる。身体が非常に衰弱した状態にある寝たきりの人のための褥瘡予防具として有効と思われるが、回復傾向にあり社会参加のためのリハビリテーションを行おうとするような状態の人が使用すれば褥瘡以外の身体的疾患を生じる惧れが有ろう。
【００１０】
特開２０００−２７０９７２号公報には、敷き布団が開示され、この布団は
寝返りの容易化を図るための両肩相当部に切り欠きを設けると共に、頚部保持部分を備え、それによって、横向きに寝返りを打つときに下に来る肩部が該切り欠き内へ沈み込んで、枕の高さが一定であっても、睡眠中の背骨を実質的に真っ直ぐに保持し得るようにして筋肉痛の発生を抑制し、快眠を達成すると記載されている。
【００１１】
【技術文献】
特開２００１−２５８９６０号公報
特開２００２−１１０５２号公報
特開２０００−２７０９７２号公報
【００１２】
【発明が解決しようとする課題】
前述のように、身体の弱い人、病床での生活が永い人のための敷き寝具は、褥瘡のできにくい、体圧分散される表面の軟らかいものが好ましいが、他方、寝返り、起き上がり、離床動作、好ましい姿勢保持等の容易性ためには、健常者用の敷き寝具と同じく適度な硬めのものが好ましい。
【００１３】
本発明は、上記の諸問題に鑑み、褥瘡発生の予防に有効な機能を発揮し、また既に褥瘡に悩まされている人の使用のために適当な種々の態様の寝具マットを提供することを主要な目的としている。
【００１４】
本発明は、褥瘡防止効果を示す敷き寝具において、褥瘡防止のために要求される「軟らかさ」と、寝返り、床離れ等の体位変換操作を容易に行うために必要な「（ある程度の）硬さ」と、の相矛盾する性質を兼ね備えた発泡樹脂製の寝具マットを提供することを主要なる課題とする。本発明は、実用に適するこの寝具マットの種々の態様も合わせて提供する。本発明は、本発明の発泡樹脂製の寝具マットを容易かつ安価に製造するための製造方法をも提供する。
【００１５】
【課題を解決するための手段】
本発明によれば、発泡樹脂製の寝具マットにおいて、人体の褥瘡既発生部分または発生予想部分に当接する位置の近傍に、少なくとも１つのスリット、または小幅もしくは小径開口溝をマットの表面から厚み方向に設けて、該位置及びその近傍における上方向からの荷重に対するマットの変形が同一マットの他部分の変形よりも相対的に容易に生じるようにし、かくして当該スリットまたは溝設置部分の上に当接する人体部分を柔和に受容できるようにしたことを特徴とする、褥瘡防止効果のある発泡樹脂製寝具マットが提供される。このマットにおいて設けられているスリット及び／または溝によって、褥瘡予防のために適切な局部的な「軟らかさ」がマットに附与され、その他のマットの大部分においては、体位変換のために適当な発泡樹脂製の寝具マット本来の「硬さ」が維持されている。
【００１６】
褥瘡は、既に定義のように、人体の骨突出部での外部からの長期間にわたる圧迫による皮膚と皮下組織の阻血性壊死の状態を表すものであるが、そのような褥瘡が発生し易い骨突出人体部位の例は、仙骨、尾骨、坐骨、背部胸椎（背骨）、肩部、踵等である。また横臥姿勢の場合には、大転子部に大きな圧力が掛かり、減圧をするのが好ましく、但し仰臥姿勢のときの仙骨部との位置関係が微妙であるので、スリットと溝とを組み合わせて、柔らかくなりすぎないようにするのが望ましい。例えば栄養状態が悪く背部の胸椎５〜８番目附近で背骨が突出している人については、そのような背骨近傍での褥瘡が発生することが有るので当該部分のマットにスリット及び／または溝を設けて対応するのが好ましい。手動または電動式の折畳みベッドをギャッチアップして上半身を起こすと挫骨部に圧力が集中し褥瘡発生の原因となり得るので、当該部分のマットにスリット及び／または溝を設けて対応するのが好ましい。踵部も長期の仰臥姿勢によって、また掛け布団等による上からの以外に大きな荷重によって褥瘡を起こしやすいが、踵部は絶えず大きく移動するために、定位置に設けたスリット及び／または溝で対応するのが難しい、そこで仰臥姿勢での踵底部よりもマットを約１０ｃｍ程短くして、踝がマットの下端縁部から外れて位置するようにするのが好ましい。
【００１７】
本発明の敷き寝具マットは、これらの部位の個々に、あるいは２以上の部位に対応した限定域においてスリット及び／または溝をピンポイントないしスポット的に備えるようにすることができる。すなわち、マットに上方から負荷（体圧）が掛かるとき、その場にスリットあるいは溝が存在すれば、マット変形の際の応力、例えば張力が、スリットまたは溝の所で切られるので、スリットあるいは溝が存在しない場合より大きな変形が生じ（例えばスリット断面では、スリットがない場合よりも大きなズレ移動等が可能となり、あるいは「地震時の地殻活断層面における滑り現象」のようになる）、かくして「軟らかさ」がその場で局所的、限定的に発生し、体圧を減少させることとなる。本発明における「張力を切る」ことによる材質の局部的な軟らかさの発現を寝具マットにおいて利用することは、新規な着想であると考えられる。
【００１８】
実用においては、上記のように褥瘡防止のためにスリットまたは溝を付けられた部位には繰返し負荷が掛かり、変形するので、殊にスリットの先端縁部に沿って起こり得る亀裂の発生及びその生長、伝播の防止のためにスリットの先端縁部において適当な処理、例えばスリット先端縁部で接着剤接合処理または融着接合処理を施すのが好ましい。また長期使用によるマット全体的な永久的ひずみ変形を低減させるには、溝が底を有し、その底縁部が直角ではなく丸みを帯びていること、またスリットの下端部がマットの裏面にまで達しないで終わっていることが有効である傾向が実験的経験的に認められている。
【００１９】
スリット及び小幅もしくは小径開口溝の平面形状（マットの平面において見た形状）は、特に限定されるされないが、例えば、適度な大きさの十字形、＊形、Ｃ字形、Ｅ字形、Ｈ字形、Ｉ字形、Ｘ字形、Ｔ字形、Ｕ字形、Ｖ字型、Ｙ字形もしくは波形であるスリット；円形、半円形、楕円形、半楕円形、ハート形、三角形、四角形、その他の多角形もしくはこれらの幾何形状の組合わせた形の小幅もしくは小径の開口溝；あるいはこれらのスリット及び／または溝の２以上の組合わせ；であり得る。しかし、本発明のマットの製造加工の面からは、単純な形状であるのが好ましく、比較的単純な形状であっても、適当な寸法、配置、数を選択することにより本発明の目的を充分に達成し得る。
【００２０】
本発明によるスリット長さは、適用個所に応じて任意に設定でき、例えばマットの厚さが５ｃｍ程度の場合には、（一辺）約１０ｃｍ前後までであり、また溝開口の幅または径も適用個所に応じて任意に設定でき、例えばマットの厚さが５ｃｍ程度の場合には、数ｍｍないし数ｃｍの範囲である。スリット長さ、溝開口の幅または径、溝の深さは、マット自体の厚さにより、また併用シートの有無、種類（例、通常のシート、失禁シート、マットレスカバー、アンダーパッド等）によっても左右されることがある。例えば失禁シートを使用する場合、失禁シートの材質（硬さ、厚さ等）によりブリッジ作用が生じ易く、そのためにスリット、溝による局部的柔軟化効果が減少されることがあり得る。そのようなときには、そのブリッジ作用を打消して失禁シート上面において適度な局部的柔軟性を達成するためにスリットの寸法、溝の開口幅、溝の深さをそれに応じて増加させる（あるいは場合によっては数を増加させる）必要があるが、簡単な試行によって容易に決定することができる。
【００２１】
図１は、発泡樹脂製寝具マット１に設けられた直線状スリット２、十字状スリット３、楕円開口溝４及び矩形開口溝５の平面イメージ図である。
図３は、本発明の寝具マットの仙骨及び尾骨に当接する部分の上表面に一対の楕円形溝（仙骨用）（４、４）及びその中間位置の逆Ｔ字形スリット（尾骨用）（３）を設けて褥瘡防止効果を付与した寝具マットの部分を示すイメージ平面図である。
【００２２】
本発明によるスリット及び／または溝付き寝具マットは種々の方法で製造することができ、例えば、発泡樹脂製寝具マットを樹脂原料を発泡させて製造する方法であり、発泡成形に際して発泡型と共に所望のスリット及び／または溝に対応する寸法の中子を所要位置に所要数配置使用し、発泡工程終了後に発泡製品から中子を除去する工程を含む。あるいは、発泡樹脂製寝具マットを発泡樹脂ブロックから製造する方法であって、所要寸法の発泡成形マット部材を準備し、その所要位置に刃物工具を用いて所要のスリットの切り込み及び／または溝の切出しを行う工程を含む。これらの方法は、いずれも容易、簡単であり、安価に製品を提供できる。マットの使用中にスリットの先端縁部に沿って起こり得る亀裂伝播の防止のためにスリットの先端縁部において接着剤接合処理または融着接合処理を行う追加工程を含むことができる。
【００２３】
さらに本発明によれば、長期にわたって主として横臥姿勢をとり続ける場合や、横臥姿勢を取り続けなければならないような状態の場合に、肩先部分の褥瘡発生を防止すると共に、その他の身体部分の筋肉痛や腰痛、その他の疲れをもたらし難く、かつ必要に応じて寝返りが容易にできる寝具マットも提供される。すなわち、本発明は、添付図４〜６に例示されるように、矩形本体（Ｉ）とその本体の頭部側縁に沿って並置される枕置き部（ＩＩ）とから構成される発泡樹脂製寝具マットにおいて：枕置き部（ＩＩ）の上に頭部か位置しかつ矩形本体（Ｉ）の縦中心線上に仰臥姿勢で横たわった場合の頚椎部分に相当する（従って、頚椎部分の重さが掛かる）マット本体の頭側縁部分に本体と比較して柔らかいウレタン硬度表示８〜１２のブロック（６）を置換植込み、接合し；また該ブロック（６）の左右に位置し該仰臥姿勢の人体の肩上から二の腕部が当接する左右のマット頭側縁部分に本体と比較して柔らかいウレタン硬度表示３〜６のブロック（７、７）を置換植込み、接合してなり；かくして仰臥姿勢のときの人体の肩上から二の腕部は上記硬度格差に拘わらず本体の平面とほぼ同じ平面上に保たれるが、左向きまたは右向きの横臥姿勢のときの人体の肩上から二の腕部はブロック（６）及びブロック（７）間の硬度格差によって本体の平面より沈み込んだ位置となりそれにより当該部分の体圧を低減でき、かつ楽な横臥姿勢をとり得るようにしたことを特徴とする発泡樹脂製寝具マットを提供する。この寝具マットは、寝返り容易化硬度差加工マットと称することができる。図面において硬度の異なるブロック（６、７）は直方体の形状で示されているが、これらの変形された形状であってもよく、仰臥、横臥姿勢の際に頚椎部及び両肩／二の腕部に適切に当接し、それらの部分の荷重を適切に受け止める形状（及び寸法）であればよい。しかしマットの製造加工の容易性の面からは、図４、５等に例示されたように、直方体であるのが好ましい。上記から明らかなように、マット本体部分（１）のウレタン硬度値は、寝返りし易く、快適な寝姿勢を保持するために、硬めの方が良く、１５から２５程度が望ましい。
【００２４】
上記の頚椎に相当する部分のブロック（６）並びに両肩当接部分ブロック（７、７）以外の人体の褥瘡発生部分に当接する位置近傍に、少なくとも１つのスリットまたは小幅もしくは小径溝をマットの表面から厚み方向に設けて、該位置及びその近傍における上方向からの荷重に対するマットの変形が同一マットの他部分の変形よりも相対的に容易に生じるようにし、かくして当該スリットまたは溝設置部分の上に当接する人体部分を柔和に受容するようにできる。図５の平面図において胸椎５〜８番附近の背骨に当接する部位の縦矩形溝（８）、大転子部に相当する部位の一対の縦楕円溝（４）及び仙骨／尾骨部に相当する位置の逆Ｔ字状スリット（３）がイメージ的に示されている。
【００２５】
図２には、上端部に寝返り容易化硬度差加工（黒色部）を施し、仙骨−尾骨当接部にスリット及び／または溝による体圧減少加工を施し（網掛け部）、踵部が突き出るように短縮化した態様の本発明の褥瘡防止効果のある寝具マットの側面略図が示されている。このようなマットでは、使用者の踵底部（仰臥姿勢のときの下側）に掛かる圧力を低減させるために、厚さを５ｃｍ位とするのが好ましい。
【００２６】
図７は、本発明の上記の寝返り容易化硬度差加工マットの本体（Ｉ：スリット及び／または溝付きのもの、あるいはスリット及び／または溝なしのもの）と枕部（ＩＩ）とを、Ｉ〜ＩＩ間で折り曲げ可能なように外皮に収納一体化し、使用に供されるようにしたものを示す側面図である。
【００２７】
本発明の上記寝返り容易化硬度差加工マットは、使用者の身長に応じてその全長が変動でき、それによって褥瘡防止のためのスリット及び／または溝設置部分が個々の使用者の適切な身体部位にフィットすることが好ましい。そこで、本発明の別の態様によれば、マット本体を縦方向において、防褥瘡加工部分と防褥瘡加工がなされていない部分との断片に分割し、該非加工部分断片毎に長さが段階的に異なるものを２以上準備し、各使用者の身長に合わせて適当な長さの非加工部分の断片を選択して防褥瘡加工部分の断片と組合わせて使用者に適合した全長に調節して使用に供されるマットが提供される。その例を図８及び９に例示する。マット本体（Ｉ）を胸部（ＩＩＩ）、臀部（ＩＶ）及び足部（Ｖ）の三つの断片部分に分割し、従って枕部（ＩＩ）と合わせて、合計四つの断片部分から構成されるようにし（図８参照）、臀部断片（ＩＶ）として種々の長さのものを準備しておき、褥瘡防止のためのスリット及び／または溝設置部分が個々の使用者の適切な身体部位にフィットするように、適切な長さの臀部断片（ＩＶ）を選定して、それを他の断片（ＩＩ、ＩＩＩ、Ｖ）と組み合わせて、紐、マジックテープ（登録商標）等の接合手段で結合し、適切使用マットを完成する。これらの断片同志の接合の一例を図９に示す。この例では、種々の寸法のものから選定された臀部断片（ＩＶ）に対して、それに隣り合う胸部断片（ＩＩＩ）及び足部断片（Ｖ）をマジックテープ（登録商標）で結合する。図９において臀部断片の底面の少なくとも縁部に沿ってマジックテープ（登録商標）（黒太線９で表されている、例えば雄マジックテープ（登録商標））がテープ面を下向きにして付着され、胸部断片（ＩＩＩ）及び足部断片（Ｖ）のそれぞれの底面から臀部断片（ＩＶ）へ向かって延在するマジックテープ（登録商標）（図９において黒太線１０で表されている、例えば雌マジックテープ（登録商標））がテープ面を上向きにして付着されており、これらのマジックテープ（登録商標）を係合させることにより、一体の供用マットが完成される。特定な使用者の身体寸法へのフィッテングの方法の一例は、枕部（ＩＩ）と胸部断片（ＩＩＩ）との境界（第７頚椎、第１胸椎の附近）をゼロポイントとし、大転子及び踵までの寸法を測定し、それに基き、各断片間に寸法調整用隙間を設け、またはそのような隙間を設けることなく、適切な身体部位に整合して組み合わせられる適当な寸法の諸断片を選択し、全ての断片を接合して本発明の寝具マットとして完成する。
【００２８】
また別の方法として、座高によって、各部のスリット及び／または溝付け位置が略決定できるので、上記の胸部、臀部を胴体部として一纏めにし、従って、マットを枕部、胴体部及び足部の三分割断片から構成されるようにすることもできる。
【００２９】
上に述べた、四分割、三分割フィッティング方式の寝具マットは、不特定多数の、種々の身長の人々が多数のマットを使用する病院、介護施設等における備品として特に有用である。
【００３０】
【発明の効果】
発泡樹脂製の寝具マットにおいて、人体の褥瘡発生部分に当接する位置の近傍に、少なくとも１つのスリットまたは小径もしくは小幅開口溝をマットの表面から厚み方向に設けて、該位置及びその近傍における上方向からの荷重のためにマット内に生じる張力を「切る」ことにより（即ち、張力発生区域を分割することにより）、その近くでの変形が同一マットの他部分の変形よりも相対的に容易に生じるようにし、かくして当該スリットまたは溝設置部分の上に当接する人体部分を局所（ピンポイント）的に柔和に受容できる。また発泡樹脂製の寝具マットの上端部に硬度差加工を施し寝返り容易化が達成され、また肩峰部の褥瘡発生が防止され得る。なお、本発明の寝具マットは、以上において褥瘡防止効果に関して主に説明されたが、既に褥瘡に悩まされでいる場合、褥瘡を治療中の場合にも勿論好ましく使用され得る。さらには、本発明の寝具マットは、健常者が使用しても差し支えないことも無論である。
【図面の簡単な説明】
【図１】本発明の褥瘡防止効果のある寝具マット上表面に設けられるスリット及び有底溝の代表的な形状を示すイメージ部分平面図。
【図２】上端部に寝返り容易化硬度差加工を施し、仙骨−尾骨当接部にスリット及び／または溝による体圧減少加工を施し、踵部が突き出るように短縮化した態様の本発明の褥瘡防止効果のある寝具マットの側面図。
【図３】本発明の寝具マットの仙骨及び尾骨に当接する部分の上表面に一対の楕円形溝（仙骨用）及びその中間位置の逆Ｔ字形スリット（尾骨用）を設けて褥瘡防止効果を付与した寝具マットのイメージ部分平面図。
【図４】寝返り容易化硬度差加工を施した寝具マットの頭部側からの側面図。
【図５】図４の寝具マットにおいて、枕部（ＩＩ）を付属させると共に、人体の背部の胸椎５〜８番に当接する部分の長矩形溝、一対の楕円形溝（大転子用）及びそれらの中間位置の逆Ｔ字形スリット（仙骨／尾骨用）を設けて褥瘡防止効果を付与した寝具マットのイメージ平面図。
【図６】図５の枕部付属寝具マットの側面図。
【図７】図５、６の態様のマットを外皮に収納一体化したものの側面図。
【図８】図５、６の態様のマットを枕部、胸部、臀部及び足部の四つの部分に分割した態様を示す側面図。
【図９】図５、６の態様のマットを四つの部分に分割し、マジックテープ（登録商標）等の結合部材で再結合し、外皮に収納する態様の概念を示す側面図。
【図１０】図５のマットにおいて、スリット及び溝が設けられていない寝具マットの平面図。
【符号の説明】
１：マット本体、  ２、３：スリット、  ４、５、８：溝、  ６：頚椎部硬質ブロック、  ７：肩／二の腕部ブロック
【図１】
2004215798.tif 000003
【図２】
2004215798.tif 000004
【図３】
2004215798.tif 000005
【図４】
2004215798.tif 000006
【図５】
2004215798.tif 000007
【図６】
2004215798.tif 000008
【図７】
2004215798.tif 000009
【図８】
2004215798.tif 000010
【図９】
2004215798.tif 000011
【図１０】
2004215798.tif 000012